Podtech/llm-jp-corpus-v4-ja_patent huggingface dataset:
(57)【要約】【課題】  専用のヨーグルトメーカーを用意することもなく、また難しい温度管理をすることもなく、牛乳を発酵させてヨーグルトにすることができる炊飯器を提供する。【解決手段】  炊飯器内にヨーグルト種菌入り牛乳の入ったヨーグルト容器を配置し、炊飯器の保温機能を利用して、炊飯器内部を通常の保温より低めの発酵に適した温度に保つことで牛乳を発酵させ、ヨーグルトとする機能を炊飯器に持たせた。【選択図】  図２
2005205142.tif 000002
【特許請求の範囲】
【請求項１】
炊飯器内にヨーグルト種菌を混入した牛乳の入った容器を置き、炊飯器の保温機能を利用して、炊飯器内部を通常の米飯の保温より低めの発酵に適した温度に保つことで牛乳を発酵させてヨーグルトとする機能を持つ炊飯器。
【請求項２】
炊飯器内の熱が直接ヨーグルト容器に触れないよう、ヨーグルト容器の下部に足をつけて炊飯器内部より浮かし、かつ、ヨーグルト容器が隙間をもって炊飯器に収まるような形状としたことを特徴とする、請求項１記載の炊飯器。
【請求項３】
発酵開始から炊飯器のタイマーが作動し、設定時間後、自動的に終了することを特徴とする、請求項１記載の炊飯器。
【発明の詳細な説明】
【技術分野】
【０００１】  本発明は、ヨーグルトの種菌を混入した牛乳を内部に配置するだけでヨーグルトが完成する、ヨーグルト製造機能をもった炊飯器に関するものである。
【背景技術】
【０００２】  一般家庭でヨーグルトを製造しようとする際、専用のヨーグルトメーカーを使用して牛乳を発酵させるか、発酵温度に保たれた環境を用意して、そこに牛乳を置き発酵させるか、いずれかの方法があった。
【発明の開示】
【発明が解決しようとする課題】
【０００３】  解決しようとする課題は、専用のヨーグルトメーカーを用意することもなく、発酵の為の温度が一定に保たれた環境を用意する手間もなく、確実に牛乳を発酵させて、ヨーグルトとする点にある。
【課題を解決する為の手段】
【０００４】  本発明は、炊飯器内にヨーグルト用の容器を配置し、炊飯器の保温機能を利用して内部温度をヨーグルトの発酵に適した温度に保つことでヨーグルトを製造する炊飯器を提供することにより、上記課題を解決したものである。
【発明の効果】
【０００５】  本発明の、ヨーグルト製造機能付き炊飯器は、専用のヨーグルトメーカーを用意することも、温度が一定に保たれた環境を用意することもなく、確実に牛乳をヨーグルトにすることができる。
【発明を実施するための最良の形態】
【０００６】  本発明のヨーグルト製造機能付き炊飯器は、図２に示されるように内なべ２にヨーグルト種菌を混入した牛乳３の入った容器４を置き、炊飯器の保温機能を利用して、炊飯器内部を通常の米飯の保温より低めの発酵に適した温度に保つことで牛乳を発酵させ、ヨーグルトとする。
【図面の簡単な説明】
【０００７】
【図１】本発明の斜視図である。
【図２】本発明のａ−ｂでの断面図である。
【図３】本発明のヨーグルト容器の断面図である。
【符号の説明】
【０００８】      １  炊飯器
２  内なべ
３  ヨーグルト種菌入り牛乳
４  ヨーグルト容器
【図１】
2005205142.tif 000003
【図２】
2005205142.tif 000004
【図３】
2005205142.tif 000005
(57)【要約】【課題】歯科補綴に於ける可撤式模型製作の主な方法としてのダウエルピン法に関し、複数のダウエルピンをそれぞれの関係に於いて平行に植立する為の簡便な器具を提供する。【解決手段】保持板の一端に延長部を設け、その先端に中空軸を垂設する。中空軸に保持板ごと上下に貫通する中空部を設け、ドリルを差し通す事が出来るようにした事を特徴とする歯科技工用ダウエルピン植立補助具【選択図】  図１
2005205141.tif 000002
【特許請求の範囲】
【請求項１】
保持板の一端に延長部を設け、その先端に中空軸を垂設し、中空軸に保持板ごと上下に貫通する中空部を設け、ドリルを差し通す事が出来るようにした事を特徴とする歯科技工用ダウエルピン植立補助具。
【発明の詳細な説明】
【技術分野】
【０００１】本発明は歯科補綴に於ける、歯を人工歯として修復する際に用いる、可撤式模型製作に関するものである。
【背景技術】
【０００２】可撤式模型製作の目的は、補綴歯（人工歯冠として修復する歯）の両隣切部を分離して、その部分だけを抜き取って修復作業する事が出来るようし、更にそれを元の正確な位置に戻す事が出来るようにして、精緻な技工操作に対応しようとするものである。
その可撤模型製作の主な方法にダウエルピン法がある。ダウエルピン（合せ釘）（５）は抜き取られた補綴歯（９）が元の正確な位置に再び着座出来るよう、ガイドの役目を果すものである。そのダウエルピン（５）を補綴歯に植立する為に、ダウエルピン維持部（５′）を挿入し、植立固定する為の孔を穿孔する。
一つの顎模型に補綴歯が２本以上の複数に亘る場合、ロストワックス法として各補綴歯がワックスで成形され、それぞれが連結された一連のワックスの成形物を、変形させぬよう模型から抜き取る為には、各補綴歯に立てられた複数のダウエルピンが一緒に抜けるようにそれぞれのダウエルピンが平行の関係になるように植立しなければならない。（ダウエルピン維持部（５′）が挿入される孔を各歯間平行に穿孔する。
その為の従来の方法には、ダウエルピン植立器（モーターを内蔵した穿孔器）を用いる方法と、ハンドピース（ハンドモーター）を用い、目見当で穿孔操作を行う方法があった。
【発明の開示】
【発明が解決しようとする課題】
【０００３】ダウエルピン植立器は高額な事と、ビームによるピン植立位置表示は、模型基底面や補綴歯軸の角度によっては任意の位置からずれる事がある。又耐用年数もあり高価につく。一方ハンドピースで目見当で行う穿孔操作は、各補綴歯間の平行植立上正確さに欠け、多数歯にあっては困難且つ時間がかかった。
本発明はこれ等の欠点を解消する為になされたものである。
【課題を解決するための手段】
【０００４】平板からなる保持板（１）と、その一端から細幅で延長した部分（２）の先端に、水平の保持板（１）に対し垂直の中空軸（３）を設けた。
中空軸（３）は保持板（１）ごと上下に貫通し、ドリル（１０）を差し通す事が出来る。保持板（１）は親指（７）をあてがい、模型基底面（８）に押しあて保定できる程の面積を有し、その事により保持板（１）が模型基底面（８）に水平に保定され、中空軸（３）にドリル（１０）を通す事により、その角度は模型基底面（８）に対し垂直となる。
【発明の効果】
【０００５】イ）  模型基底面（８）に対する保持板（１）の水平関係と、保持板（１）に対する中空軸（３）の垂直関係により、植立角度はその関係で常に一定となり、補綴歯（９）が２歯以上から多数に亘る場合も、それぞれの関係を簡便な方法で平行に保つ事が出来る。
ロ）  本発明の操作上、中空軸（３）にドリル（１０）を差し込んだまま模型基面（８）上を素早く移動することが出来、又直線の中空軸（３）を、補綴歯（９）歯軸直下に合わせての位置決めは視認性が良く、簡便且つ迅速に任意の植立位置を確定する事が出来る。
ハ）  簡素な構造なので、ダウエルピン植立器と比較すると著しく安値で、且つ故障の懸念もなく、永く使用する事が出来る。
【発明を実施する為の最良の形態】
【０００６】本発明を親指（７）で押圧し、保定する為の平板からなる保持板（１）と、その保持板（１）から細幅で延長した部分（２）の先端に水平の保持板（１）に対し垂直の中空軸（３）を設ける。中空部（４）は保持板（１）ごと上下に貫通させ、ドリル（１０）を差し通す事が出来るようにする。
本発明は金属製、金属とプラスチックの複合型等がある。尚、中空軸（３）と保持板（１）の取付は鋳造による一体成型、或いはネジ固定等の方法がある。
以上の構成からなる本発明の使用方法は、
ハンドピース（１１）に装着したドリル（１０）を中空軸（３）の上端から差込み、次に保持板（１）の底面を模型基底面（８）に親指（７）であてがい、それを任意の植立位置であるところの補綴歯（９）歯軸の延長線上に、重なるように移動させ、位置確定をした後保持板（１）を模型基底面（８）に親指（７）で押圧して保定しながら穿孔操作に移行する。
【実施例１】
【０００７】図５のように保持板（１）の両側に保持翼（１′）を設け、それにより親指の側面で保持板（１）を保持させる事により、本発明の円滑な操作を助けるものである。
【実施例２】
【０００８】図６のように中空軸（３）の下端をネジ（３′）で保持板（１）に固定したもので、使用するドリル（１０）の太さにより、それに合せた中空部（４）の内径を持つものに交換しなければならない。その際はネジ固定であるので簡便に交換することが出来る。保持板（１）をプラスチック製。中空軸（３）を金属製としてもよい。
【実施例３】
【０００９】図７のように保持板延長部（２）の先端をＬ字型に段階（２′）を設けた例。
これは穿孔時の石膏粉塵の中空軸（３）内への侵入を防ぐものである。
【実施例４】
【００１０】図８のように円形の保持板（１）の中心に垂直に中空軸（３）を設け、その周囲に中空軸（３）より５〜６ｍｍ程長い螺旋（１２）を装着させる。螺旋の下端を絞って中空軸の下端に設けた溝に噛ませて固定している。
保持板（１）を指で押さえる代わりに、螺旋の反発力で保持板の保定を図ったもので、より円滑で迅速な作業が可能となる。
【図面の簡単な説明】
【００１１】
【図１】は本発明の斜視図
【図２】は本発明の断面図
【図３】は本発明の使用状態を示す正面図
【図４】はダウエルピンの正面図
【図５】は本発明の一実施例を示す斜視図
【図６】は本発明の一実施例を示す断面図
【図７】は本発明の一実施例を示す断面図
【図８】は本発明の一実施例を示す斜視図
【符号の説明】
【００１２】      １  保持板
１′保持翼
２  保持板延長部
２′保持板延長部先端の段階部
３  中空軸
３′中空軸のネジ部
４  中空部
５  ダウエルピン
６  ダウエルピン維持部
７  親指
８  模型基底面
９  補綴歯
１０  ドリル
１１  ハンドピース
１２  螺旋
【図１】
2005205141.tif 000003
【図２】
2005205141.tif 000004
【図３】
2005205141.tif 000005
【図４】
2005205141.tif 000006
【図５】
2005205141.tif 000007
【図６】
2005205141.tif 000008
【図７】
2005205141.tif 000009
【図８】
2005205141.tif 000010
(57)【要約】【課題】人の身体は大きな重さ（負荷）をかけると、自分の意志に関係なく様々な関節の動きを随時使い、その負荷を一部に集中させないようにしたり、その負荷から逃げるように働く。これは重いものを持ち上げたり、大きな負荷から身を守る技術の上達になるものであるが、その関節の動きは身体を鍛えようとする世界ではマイナスに作用してしまい、その動きを意識的に止める必要に迫られるのである。【解決手段】関節の動きによって負荷を分散させないためには、複数の関節を使った運動動作をなくすことができることが一番望ましい。重さ（負荷）を２ヶ所で支えることによって、複数関節動作をより少ない単関節動作にすることができるので、トレーニングに集中できて、負荷を直接筋肉に伝えることができる。また、負荷を１／２ずつ支えて動作するので、負荷から受ける痛みやつらさを半減でき、安定した動作が保証される。【選択図】図１
2005205145.tif 000002
【特許請求の範囲】
【請求項１】
重さ（負荷）を２ヶ所で支えることを特徴とするトレーニング機器。
【請求項２】
前記２ヶ所で支えるとは、１ヶ所は握力でもう１ヶ所は手首の部分で支えられることを特徴とする請求項１記載のトレーニング機器。
【発明の詳細な説明】
【技術分野】
【０００１】  この発明は身体を鍛えるためのトレーニング機器の形状及び機能に関する。
【背景技術】
【０００２】  従来のトレーニング機器は図５〜８に示すように重さ（負荷）を加える部分１と握力で握り、重さ（負荷）を支える部分２が設けられたものである。
【発明の開示】
【発明が解決しようとする課題】
【０００３】  しかしながら、以上の技術によれば、動かしてはいけない手首の関節を動かすことになり、鍛えようとする筋肉の負荷を小さくしようとする働きが生まれてしまう。そのため、大きな筋肉への刺激を求めてさらに重い重さ（大きな負荷）を取り扱うようになり、怪我や事故を招いていた。
そこで、この発明は、重さを支え易くし、トレーニングに集中できて、負荷の低下を招かないことを提供することを課題とする。
【課題を解決するための手段】
【０００４】  以上の課題を解決するために、第一発明は、重さを支える箇所を２ヶ所としたことを特徴とするトレーニング機器である。
また、第二発明は、負荷を小さくする関節の動きを有効に止めることを特徴とするトレーニング機器である。
【発明の効果】
【０００５】  第一発明、または第二発明によれば、重さを支え易く安定させ、トレーニングに集中できるようになり、負荷の低下を招かないことでトレーニング効果を増大できる。
【発明を実施するための最良の形態】
【０００６】  この発明の一実施形態を、図１〜４に示す。
このトレーニング機器の本体は鉄製で、握力で握る部分２と手首で重さを支える部分３にはクッションが設けられていて、負荷からの痛みがないようになっている。【０００７】「実施形態の効果」
この実施形態によれば、重さ（負荷）を支える箇所を２ヶ所にしたことで、重さを支える握力が１／２以下になり、動作を行った時に重さを支え易く安定し、トレーニングに集中できる。そして、無駄な関節の動きを止めるので、鍛える筋肉に負荷を直接伝えることが可能になる。【０００８】「他の実施形態」
図１〜４の実施形態では、握力で握る部分２と手首で支える部分３であったが、他の実施形態では、３で支える部分は手首以外の関節や他の身体の一部で支えるものでも良い。
【図面の簡単な説明】
【０００９】
【図１】この発明の一実施形態（バーベルシャフト）を示す斜視図である。
【図２】この発明の一実施形態（ダンベルシャフト）を示す斜視図である。
【図３】この発明の一実施形態（ケーブル用バー）を示す斜視図である。
【図４】この発明の一実施形態（ケーブル用ハンドル）を示す斜視図である。
【図５】従来技術（バーベルシャフト）を示す斜視図である。
【図６】従来技術（ダンベルシャフト）を示す斜視図である。
【図７】従来技術（ケーブル用バー）を示す斜視図である。
【図８】従来技術（ケーブル用ハンドル）を示す斜視図である。
【符号の説明】
【００１０】１  重さ（負荷）／プレートを加える部分
２  握力で握り、重さ（負荷）を支える部分
３  重さ（負荷）を手首で支えるクッション部分
【図１】
2005205145.tif 000003
【図２】
2005205145.tif 000004
【図３】
2005205145.tif 000005
【図４】
2005205145.tif 000006
【図５】
2005205145.tif 000007
【図６】
2005205145.tif 000008
【図７】
2005205145.tif 000009
【図８】
2005205145.tif 000010
(57)【要約】      （修正有）【課題】  調剤された薬剤を宅配することを希望する患者に対し、直接、来局時に受ける薬剤師による服薬指導と同程度の指導を遠隔地の患者に対し行う。【解決手段】  患者から送信された処方箋にも基づき調剤後、薬剤師ではなく、薬局員等が患者の希望により、IP電話システムを有する携帯型情報端末機器を持参し、患者に薬剤を宅配し、処方箋の回収、会計等を行い、薬剤師が遠隔地にてその携帯型情報端末を介し、患者に直接服薬指導を行う。【選択図】  図１
2005346683.tif 000002
【特許請求の範囲】
【請求項１】
患者により送信された処方箋に基づいて、調剤後、薬局員等が患者の希望により薬を宅配、処方箋の回収、会計等をし、患者宅にて、ＩＰ電話システム等を介して薬剤師が遠隔地にいながらも、患者に直接、適切な服薬指導等を行うことができる遠隔地服薬指導システム。
【請求項２】
前記通信手段がＩＰ電話システムである請求項１記載方法。
【発明の詳細な説明】
【技術分野】
【０００１】  本発明は、ＩＰ電話システム等を用いて、薬剤師が遠隔地にいる患者に、直接服薬指導を行うシステムに関する。
【背景技術】
【０００２】従来の宅配時における服薬指導方法には、薬剤師が直接患者宅へ出向き、患者宅にて直接服薬指導を行う方法がある。
【発明の開示】
【発明が解決しようとする課題】
【０００３】  病気や怪我また重度の患者にとって、長時間の病院における診療後、さらに調剤薬局へ赴き、薬剤を受け取るためにさらなる時間をかけることには、身体的、精神的な負担が多い。また老人においては交通手段に限りがあるため、調剤薬局で薬を受け取り服薬指導に至るまでに多くの労力を要する等の理由により、薬剤の宅配を希望する患者が増えることが予想される。しかし、薬剤師自身が直接患者宅に出向く事は物理的に限度があり、制限がある。
【課題を解決するための手段】
【０００４】  患者から送信された処方箋に基づき調剤後、薬局員等が薬を宅配し、その際、薬局員等がＩＰ電話システムを有するモバイルパソコン等を持参し、薬剤師が遠隔地にてその携帯型情報端末を介し、患者に直接服薬指導を行う。
【発明の効果】
【０００５】  本発明は、患者から送信された処方箋に基づき調剤された薬剤を、ＩＰ電話システムを有する携帯型情報端末を持参した薬局員等が、患者宅に宅配、処方箋の回収をし、その携帯型の情報端末を用いて遠隔地にいる薬剤師が患者に直接服薬指導を行うことにより、患者の負担を軽減し、かつ適切な服薬指導を行うことが出来るものである。
【発明を実施するための最良の形態】
【０００６】  図１を参照しながら、実施形態を説明する。
Ｓ１：（ステップ１）    医療機関が処方箋を発行。
Ｓ２：（ステップ２）    患者が処方箋を調剤薬局へ送信する。
Ｓ３：（ステップ３）    調剤薬局にて、処方箋に基づき調剤をする。
Ｓ４：（ステップ４）    薬剤師本人ではなく、薬局員がＩＰ電話システムを有する携帯型情報端末を持参して、患者宅へ薬剤を宅配する。薬局員等が持参した通信端末を用い、患者と薬剤師が遠隔地にて直接意思を交わし、適切な服薬指導を実施。
Ｓ５：（ステップ５）    薬局員が処方箋の回収、会計等を行い、帰局。
【図面の簡単な説明】
【０００７】
【図１】本発明の実施形態を示す、フローチャート図である。
【図１】
2005346683.tif 000003
(57)【要約】【課題】  操作者の技術、能力に直接影響されない、直感的な航行援助システムを提供する。【解決手段】  レーダー反射波情報、ＧＰＳ情報及び各種航海計器等の情報を基に、三次元映像を用いて視界を再現することで、狭視界時において有視界時同等の直感的な状況判断を可能にする。【選択図】  図１
2005346686.tif 000002
【特許請求の範囲】
【請求項１】
レーダー反射波情報、ＧＰＳ情報及び各種航海計器の情報と船舶及び地形の三次元モデルのデータベースを基に、視界を再現した三次元映像を生成することにより、狭視界時における航行の援助を可能にすることを特徴とする航行援助システム。
【発明の詳細な説明】
【技術分野】
【０００１】  船舶の衝突予防を援助するシステムに関する。
【背景技術】
【０００２】  従来の衝突予防援助装置としては、レーダー装置にコンピュータを応用したＡＲＰＡ（自動衝突予防援助装置）がある。本装置はレーダー反射波の情報から相手船の航跡をプロットして衝突の危険性を判断し、操船者に知らせる装置である。【０００３】  その他の衝突予防援助装置として、レーダー装置の代わりに無線ＬＡＮを用いるものがある。本装置は、小電力無線装置、ＧＰＳ装置及びマイクロコンピュータを組み合わせることにより無線ＬＡＮを形成させ、互いに位置、進路、速力等の航海情報を交換することで衝突の危険性を判定し、操船者に知らせるものである。
【発明の開示】
【発明が解決しようとする課題】
【０００４】  前記のレーダーＡＲＰＡシステム、並びに無線ＬＡＮを利用するシステムの何れにおいても、操船者に提示される情報は、文字、音声、或いは二次元映像によるものであり、それらの情報を直感的に現実の状況と結びつけるのは極めて困難である。【０００５】  また、それらの装置から得られる情報を基に状況判断を行う際には、各装置に対する操作方法の習熟度、及びそれらの装置が提示する情報を解析する個人の能力が状況認識レベルに大きく影響し、その状況判断の結果に格差が生じてしまう。【０００６】  本発明は、三次元映像を利用して視界を再現することにより、有視界時同等の状況判断を行うことができ、状況認識のレベルに個人の能力が直接影響しない直感的な衝突予防援助システムを提供することを課題とする。
【課題を解決するための手段】
【０００７】  以上の課題を解決するために、本発明は、三次元映像を利用して視界を再現することを特徴とする衝突予防援助システムである。
【発明の効果】
【０００８】  本発明によれば、三次元映像により視界を再現することで、狭視界時においても有視界時同等の状況判断が可能となり、かかる状況判断に対し操船者の能力が影響を及ぼさない、直感的な衝突予防援助が可能となる。
【発明を実施するための最良の形態】
【０００９】  発明実施の形態を図面を用いて説明する。
図１において、本システムで使用する装置は、メインコンピュータ１、レーダー装置２、各種航海計器３、ＧＰＳ装置４及び映像表示装置５から構成される。【００１０】  メインコンピュータ１では、レーダー装置２及び各種航海計器３からの情報を基に相手船の位置、速力、針路等の情報を計算する。【００１１】  さらに、メインコンピュータ１では前記の計算結果とＧＰＳ情報を基に、メインコンピュータ１内に保存されている地形モデル及び船舶モデルのデータベースを利用して、自船からの視界を再現した三次元映像を生成し、映像表示装置５により表示する。【００１２】  「他の実施形態」
図１の実施形態では、相手船の認識にレーダー反射波の情報を用いたが、他の実施形態では、無線ＬＡＮを用いたものでも良い。
【図面の簡単な説明】
【００１３】
【図１】本発明の一実施形態の航行援助システムの構成を示すブロック図である。
【符号の説明】
【００１４】  １．メインコンピュータ
２．レーダー装置
３．各種航海計器
４．ＧＰＳ装置
５．映像表示装置
【図１】
2005346686.tif 000003
(57)【要約】【課題】現在においても俳句における句会は、古来からの手作業による時間と労力かけて行っている。それもまた風雅ではあるが人数が多くなると大変である。本発明者は、句会における手作業による時間と労力を飛躍的に省力化を図り、何百人規模の大俳句会でも対応でき、かつ選句に集中専一することができる。【解決手段】かかる俳句の句会における手作業の部分を、無線ＬＡＮによる機器すなわち親機一台と複数の子機をもって自動的にこれらの作業を行わせる。また、無線ＬＡＮによる機器には、内部に歳時記、広辞苑、歴史的仮名遣い、及び保存の機能を合わせ持たせることにより、子機は携帯できる形状とすることから俳句手帳としても利用できる。【選択図】「なし」【特許請求の範囲】
【請求項１】
無線ＬＡＮによる機器すなわち親機一台と数機の子機を使って、俳句の句会における清記、選句、点盛りの作業行うことを特長とする。
【請求項２】
前記に無線ＬＡＮよる機器には、内部に、歳時記、広辞苑、歴史的仮名遣い、保存の機能を合わせ持ち、子機は携帯できる形状とし俳句手帳の用途も併せ持つ機能とする。
【請求項３】
前記１項及び２項の無線ＬＡＮをインターネットに登録接続し、親機を管理者として、自宅に居ながらにしてリアルタイムの俳句の句会を行えるシステム。
【請求項４】
前各項の一連のシステムを「座・芭蕉」とする。
【発明の詳細な説明】
【技術分野】
【０００１】  この発明は、現在も古来から行われている手書きによる句会の方式を、無線ＬＡＮによる機器により大人数でも短時間で句会を行うことができることに関するものである。
【背景技術】
【０００２】  現在の方式で、仮に十人前後の句会で十句投句で七句選の場合を想定する場合、まず十枚の短冊と清記用紙一枚並びに選句用紙一枚が各句会参加者に配付される。
十人が自句を十句短冊に書き、投句場所に投句した段階で、担当者が百枚の短冊をシャッフルし、各人に十枚づつ配付する。
披講者を一番として他の九人に清記番号を付す。清記用紙にその清記番号を書き、清記者として、自分の氏名又は俳号を記入し、配付された十枚の短冊の句を清記する。この際、誤字脱字や書き違いの無いよう細心の注意を必要とする。だが、配付された十枚の短冊の字面には癖字や個性的なものもあり辞書を引かなければならないものもある。一方、慣れてくると筆跡で、誰の句か判明できることもあり、例えば主宰の筆跡は一目瞭然であり完全なる秘匿が担保されていない現状である。
次に、その清記用紙は時計の反対回りに回し自分が清記した清記用紙が手元にくるまで繰り返す、この間に手元にきた清記用紙の中から選句するために予め予備に選した句を書き留めおく。
次に、選句用紙に名前か俳号を記して、予め予備に選した句の中から本選七句を記入して披講者に届ける。
次に、披講者は選者名とその選句用紙に記された清記番号の句を順次読み上げ、順次選句された者が名乗るとその清記用紙をもっている者が作者名と選句者をその清記用紙の欄に記入する。この際、句会に慣れていない者の清記用紙には点盛り間違いや作者名間違いが多々見受けられる。また特別に主宰者や著名なゲストを招いた場合の選を入選、本選、特選というように特別に選句する場合ある。
次に、全員の披講が終了すると、各人の清記用紙は披講者に渡たされ、披講者は一番多く選句された句から順に清記用紙から選び披講する。これらに要する所要時間は、概ね二時間である。
いま例として、十人の句会を想定した記述をしたが、全国大会など百人単位の人数で行う句会の場合には、当然投句数を二句か三句に減らしても、それでも相当な時間と労力がかかっているのが現状である。
なお、一連の句会の終了後、後日のために、日時、場所、参加者、主宰者の選及び互選の点盛りを作者名順、五十音順等で記載された句会報を作成するが、これらにも相当な労力がかかっているのが現状である。
【発明の開示】
【発明が解決しようとする課題】
【０００３】  本発明者は、俳句会における古来からの手作業による時間と労力のかかる句会運営方法に、飛躍的な省力化を図り、何百人規模の大俳句会でも対応でき、かつ選句に集中専一することができると考えた。
【課題を解決するための手段】
【０００４】  かかる俳句の句会における手作業の部分を、無線ＬＡＮによる機器すなわち親機一台と複数の子機をもってその作業を行わせる。
【発明の効果】
【０００５】  俳句会において、第一に労力の省力化・迅速性・正確性・秘匿性が図られる。第二にこれらにより大人数の俳句会も簡単に可能となる。第三に無線ＬＡＮによる機器には、内部に歳時記、広辞苑、歴史的仮名遣い、及び保存並びに他文書複写の機能を合わせ持たせることにより、子機は携帯できる形状とすることから俳句手帳としても利用できる。第四に現在でもインターネットによる句会がネット上で開催されているが、いずれもリアルタイムではなく投句、選句に数日間の日時がかかっている。請求事項３が実現できるシステムを構築すれば、自宅に居ながらにしてリアルタイムの俳句会を行えるものである。
【発明を実施するための最良の形態】
【０００６】  無線ＬＡＮによる機器における親機、子機に共通する機能は、第一に全て縦書き方式とし、文字入力はローマ字及びかなのスタンダード方式とする。第二に内部に歳時記、広辞苑、歴史的仮名遣い、及び保存並びに他文書複写の機能を合わせ持たせるものとする。第三に俳句をする者には高齢者もいるので、出来る限りシンプルな機能とし不必要なものは一切付加しない。親機には、印刷機能を持たせる。また、親機を持つ者も句会の参加者の一人であるので、全員の投句の終了確認ができるまで、投句者の名前が明らかにならない機能とする。
親機の機能は次のとおりである。清記の受信、清記番号の付与確認、氏名又は俳号記入の指示確認、全投句の確認、シャッフルの確認、シャッフルに一連番号を付した句を子機に送信確認、予備選句一覧の表示、本選句の表示、全員の本選句終了確認、点盛り操作、高点句から並び替え若しくは主宰者や著名なゲストを招いた場合の選を入選、本選、特選を優先にした並び替えの操作と確認、点盛り結果を子機に送信確認、句会報の作成保存する。なお、清記番号の付与は実質的に不要となるが、親機には、参加人員の確認と投句と選句の確認を要するために、従前のとおり付与すべきものと考える。
子機の機能は、清記番号の入力、氏名又は俳号の入力、自句の清記入力、シャッフルされ一連番号を付された句の受信、予備選句操作、予備選句一覧の表示、本選句の表示と親機へ送信操作、終了待機、親機から点盛り結果の受信。その保存。また、俳句手帳の利用としては、句の入力、作句日、季語季別、投句先、季別と季語の検索機能を有するものてである。
(57)【要約】【課題】不動産の賃貸物件、売買物件の宣伝方法として、物件に張紙及び看板にて「空室」「貸家」「売物件」「売家」などと表示するとともに電話番号を表示してあります。物件の内容（貸家の場合は家賃・間取り・諸条件、売家及び売地の場合は価格・、面積・間取り・諸条件）を詳しく知りたい場合は掲示した家主、売主及び不動産会社との電話による直接的な聞き取りによる説明を受けることとなります。【解決手段】不動産業者及び仲介業者より物件掲載希望をつのり、インターネット上にホームページを持つ取りまとめ会社（当社）がデータベース化した物件内容を物件番号別に公開する。物件希望者はびパソコン及び携帯電話により、会話の手段ではなく、瞬時にして物件内容が確認できる。【選択図】図１
2005346679.tif 000002
【特許請求の範囲】
【請求項１】
不動産売物件及び貸物件に張り出された看板及び張り紙のホームページアドレスと物件番号により携帯電話及びパソコン上により瞬時にして物件の内容（（貸家の場合は家賃、間取り、諸条件・売家及び売地の場合は価格、面積、間取り、緒条件）が確認できるシステム。
【請求項２】
不動産売物件及び貸物件に張り出された看板及び張り紙のホームページアドレスと物件番号による識別によりひとつのホームページアドレスに数百、数千の物件を登録することができ、番号の検索により瞬時に物件説明内容までたどりつけるシステム。
【発明の詳細な説明】
【技術分野】
【０００１】本発明は物件にホームページアドレスと物件ナンバーを記入した掲示版を掲載することにより携帯電話およびパソコンのインターネットでの検索により物件内容及び価格、間取りなどが瞬時にして確認することのできるシステムです。
【背景技術】
【０００２】現状における物件案内板は掲示会社及び仲介会社が電話番号及び社名を記入し、電話にて口頭説明により、内容を説明しており、人的接触を余儀なくされており、
問い合わせにて説明を受けるのには抵抗感が付き物であった。
【発明の開示】
【発明が解決しようとする課題】
【０００３】従来の不動産物件広告看板には掲載会社名と掲載会社電話番号を掲示することによる案内を主として、物件希望者は自ら電話をかけ、相手方の口頭により説明の手段にてのみ不動産物件内容を知ることができない。電話を掛けること、会話、口頭により説明を受けなければならないことは、対人接触のわずらわしさを感じさせます。
【課題を解決するための手段】
【０００４】本発明は物件にホームページアドレスと物件ナンバーを記入した物件内容案内板を掲示することにより携帯電話およびパソコンのインターネットでの検索により物件内容及び価格、間取りなどが瞬時にして確認することのできる。
【発明の効果】
【０００５】本発明は物件にホームページアドレスと物件ナンバーにより物件内容及び価格、間取りなどが確認できるとともに、物件の外観、及び環境等は掲示版とともに確認ができており、大変実質的に分かりやすい物件案内になります。
【発明を実施するための最良の形態】
【０００６】ホームページを開設した物件案内掲示版取りまとめ業者は、不動産仲介業者及び家主より掲示希望物件を募集し、掲示希望物件をホームページに物件ナンバーを特定して掲載するとともに物件に掲示する物件掲示板を製作して郵送し、物件掲示希望会社はその物件掲示板を物件に掲示する。物件に掲示されている掲示板を見た物件内容確認希望者はその場にて掲示されているホームページアドレス及び物件ナンバーをアクセスすることにより瞬時にて物件内容及び価格、間取り等諸条件を確認することのできるシステムです。
【図面の簡単な説明】
【０００７】
【図１】本発明を利用する物件希望者の物件内容確認の手順
【図２】本発明を掲示しようと希望する不動産仲介業者及び家主と物件掲載ホームページ所有会社と物件内容確認希望者との三者の関係
【図１】
2005346679.tif 000003
【図２】
2005346679.tif 000004
(57)【要約】【課題】  テレビ放映の情報記録を視聴者に提供する。【解決手段】テレビ局からの特定番組の情報を冊子にて連動掲載し無料にて冊子を配布することを特徴としたテレビ番組より情報連動した冊子の提供システム。【選択図】      図１
2005346676.tif 000002
【特許請求の範囲】
【請求項１】
テレビ局からの特定番組と飲食店、商品、音楽、映画、演劇、イベントその他の情報の宣伝提供を契約し、前記宣伝情報を冊子にて連動掲載し無料にて冊子を配布することを特徴としたテレビ番組より情報連動した冊子の提供システム。
【請求項２】
テレビ局からの特定番組と飲食店、商品、音楽、映画、演劇、イベントその他の情報の宣伝提供を契約し、前記宣伝情報を冊子にて連動掲載し無料にて冊子を配布し、視聴者は冊子からさらに連動したコンピュターや携帯電話によるインターネット情報から、商品の購入や劇場の予約などを可能としたことを特徴とした請求項１記載のテレビ番組より情報連動した冊子の提供システム。
【発明の詳細な説明】
【技術の分野】
【０００１】  本発明は、テレビ局からの特定番組の店舗紹介、音楽、映画その他の情報の提供を冊子にて連動掲載し無料にて配布するシステムに関するものである。
【背景技術】
【０００２】  従来、地域の飲食店及び店舗紹介を記載した無料の情報冊子が駅や路上にて無料配布されていた。
【文献１】
特開２００２−０４９８５３
【発明の開示】
【発明が解決しようとする課題】
【０００３】  これには次のような欠点があった。
従来、地域の飲食店及び店舗紹介を記載した無料の情報冊子が駅や路上にて無料配布されていた。
（イ）  従来テレビ番組情報と連動した情報冊子は既存しなかった。
（ロ）  従来のテレビ等で放映した、飲食店や商品店舗、音楽、映画、演劇、イベント等の情報が放映されているが、視聴者は前記情報記録が困難であり、要求する情報をテレビ局に問い合わせることも困難な状態にあった。
（ハ）  テレビ等で放映する情報宣伝、飲食店や商品店舗、音楽、映画、演劇、イベント等は記録として、視聴者に伝達することが困難であったために、飲食店や商品店舗、音楽、映画、演劇、イベント等のテレビ放映宣伝効果が望めないことがあった。
本発明は、これらの問題点を解決するためになされたものである。
【課題を解決するための手段】
【０００４】  テレビ局からの特定番組と飲食店、商品、音楽、映画、演劇、イベントその他の情報の宣伝提供を契約し、前記宣伝情報を冊子にて連動掲載し無料にて冊子を配布し、視聴者は冊子からさらに連動したコンピュターや携帯電話によるインターネット情報から、商品の購入や劇場の予約などを可能としたことを特徴としたテレビ番組より情報連動した冊子の提供システム。
【発明の効果】
【０００５】本発明の効果の特徴として、従来、地域の飲食店及び店舗紹介を記載した無料の情報冊子が駅や路上にて無料配布されていが、これは地域の情報の冊子であった。本発明のテレビ番組より情報連動した冊子の提供システムは、従来のテレビ等で放映した、飲食店や商品店舗、音楽、映画、演劇、イベント等の情報が放映されているが、視聴者は前記情報記録が困難であり、要求する情報をテレビ局に問い合わせることも困難な状態にあった問題を解消したもので、テレビ局からの特定番組と飲食店、商品、音楽、映画、演劇、イベントその他の情報の宣伝提供を契約し前記宣伝情報を冊子にて連動掲載し無料にて冊子を配布し視聴者は冊子からさらに連動したコンピュターや携帯電話によるインターネット情報から商品の購入や劇場の予約などを実現するものである。
また、従来、テレビ等で放映する情報宣伝、飲食店や商品店舗、音楽、映画、演劇、イベント等は記録として、視聴者に伝達することが困難であったために、飲食店や商品店舗、音楽、映画、演劇、イベント等のテレビ放映宣伝効果が望めない問題を視聴者に配布される冊子により記録の情報がされることを実現するものである。
本発明は、以上の効果を実現するものである。
【発明を実施するための最良の形態】
【０００６】  以下、本発明の実施の形態について図１をもちいて説明する。
図１に記載されているのは、本発明のテレビ番組より情報連動した冊子の提供システムの形態で、テレビ局（１０）から特定テレビ番組（１０１）を選出し、特定テレビ番組（１０１）にて、飲食店、店舗、音楽、映画その他の情報（１０２）が放映される。
情報（１０２）が放映される飲食店、店舗、音楽、映画等は特定テレビ番組（１０１）との契約により情報の提供がなされるものである。
前記、飲食店、店舗、音楽、映画その他の情報（１０２）の内容は情報冊子（２０）にて作成され、視聴者ユーザー（２０１）に無料配布される。
視聴者ユーザー（２０１）は特定テレビ番組（１０１）にて、飲食店、店舗、音楽、映画その他の情報（１０２）が放映されるとともに、無料配布された情報冊子（２０）より情報の収集が可能となるものである。
視聴者ユーザー（２０１）は入手したい情報（１０２）は、情報冊子（２０）より掲載されたアドレスから携帯電話のウェーブサイト、コンピュターからのインターネットでさらに情報の入手が可能となるもので、本発明はテレビ番組より情報連動した冊子の提供システムである。
以上、本発明の構成で、実施において下記に示す。【０００７】本発明の実施
本発明は、テレビ局からの特定番組の店舗紹介、音楽、映画その他の情報の提供を冊子にて連動掲載し無料にて配布するシステムに関するもので、テレビの視聴者は、従来テレビで放映された情報にたいして、視聴者が必要とする情報の記録されるものが既存していなかった。
特定テレビ番組にて、飲食店、店舗、音楽、映画その他の情報（１０２）が放映されるとともに、無料配布された情報冊子（２０）より情報の収集が可能となるもので、視聴者はさらに入手したい情報は、情報冊子（２０）より掲載されたアドレスから携帯電話のウェーブサイト、コンピュターからのインターネットでさらに情報の入手が可能となるもので、本発明はテレビ番組より情報連動した冊子の提供システムである。
本発明はテレビで放映される、飲食店、店舗、音楽、映画その他の情報提供を契約し、テレビ放映と情報冊子の掲載により情報宣伝広告がされ、テレビ放映と情報冊子の掲載による双方の情報宣伝広告は、テレビの視聴者等においてより確実な宣伝効果が望めるものである。
以上の構成より産業上利用されるものである。
【図面の簡単な説明】
【０００８】
【図１】本発明の実施における形態の図である。
【符号の説明】
【０００９】１０．テレビ局
１０１．特定テレビ番組
１０２．情報放映
１０３．情報提供
２０．情報冊子
２０１．ユーザー（視聴者）
２０２．情報提供（ユーザー）
【図１】
2005346676.tif 000003
(57)【要約】【課題】本発明は、酒類製造業における生産管理をデータ化したものから、その事績情報を元に生産履歴を作成することにより、視覚的に作業確認が容易に行えるようにしたシステム。【解決手段】本発明は、日付順・処理順にデータベース上に格納してあるデータを、他データと比較・置換し、関連性のある処理の場合には結びつけを行い、表示用データをプログラムで作成し、画面上に表示もしくは印刷を行う。ここでいうプログラムは、既存のデータ順列を乱さず、必要に応じてデータを抽出し、表示用データ作成を行うものである。【選択図】図１
2005346437.tif 000002
【特許請求の範囲】
【請求項１】
酒類製造業における生産管理をデータ化したものから、その事績情報を元に生産履歴を作成することにより、視覚的に作業確認が容易に行えるようにしたシステム
【発明の詳細な説明】
【技術分野】
【０００１】
本発明は、酒類製造業における生産管理をデータ化したものから、その事績情報を元に生産履歴を作成することにより、視覚的に作業確認が容易に行えるようにしたシステム。
【背景技術】
【０００２】
酒類製造業における生産管理の履歴は、酒税法での規定から、システムにおけるデータベース上には日付順・処理順に格納されているが、その処理で用いた酒類および容器は１つとは限らず、関連性を的確に把握することは視覚的に困難であった。また、日付順・処理順で格納されていても、別酒類との混和処理がある場合、元酒類毎の履歴確認が同時に表示できなかった。
【０００３】
この改善策として、データベース格納時に日付順・処理順にとらわれない、結びつきを重視した格納方法も検討できたが、酒税法における処理記録方法を遵守するためには、このような方法では適切ではないという点もあげられる。
【発明の開示】
【発明が解決しようとする課題】
【０００４】
解決しようとする問題点は、酒類および容器が複数またがった処理の場合でも、また、別酒類との混和処理がある場合でも、相互の関係も含めた形で、視覚的に生産履歴を確認できないという点である。
【課題を解決するための手段】
【０００５】
本発明は、日付順・処理順にデータベース上に格納してあるデータを、他データと比較・照合し、関連性のある処理の場合には結び付けを行い、表示用データをプログラムで作成し、画面上に表示もしくは印刷を行うことを最も主要な特徴とする。
【発明の効果】
【０００６】
本発明の酒類生産履歴の表示システムは、関連性のある処理に対してすべての生産履歴を表示させられることから、視覚的確認および関連酒類の履歴を把握するために、特段の操作を必要としないという利点がある。
【発明を実施するための最良の形態】
【０００７】
本発明は、データベース上のデータ形態を加工することなく、生産履歴情報を効率的に生成することが可能になるため、既存のシステム等に本発明を組み込むことにより、実現が可能になる。
【実施例１】
【０００８】
以下に図１に示す酒類生産履歴の表示システム全体の動作フローを説明する。既に業務システムより蓄積されているデータベース上の処理データより、必要な生産処理情報を抽出する（A０１）。
【０００９】
抽出された必要なデータを元に、酒類生産履歴の表示システムにより、表示および印字可能なデータを作成する（Ａ０２）
【００１０】
図２では、図１のＡ０２で示した酒類生産履歴の表示システムの具体的な処理を示す。既に読み取られた処理データを時系列毎に判断し、日付順（降順）になるように比較・置換する（Ａ０３）。この時に現在確認している処理データと、次に並ぶ処理データにおいて、日付順序が逆になっている場合には入れ替えを行い、データを一時的に蓄積する（Ａ０４）
【００１１】
既に読み取られた処理データを処理順列毎に判断し、処理順（降順）になるように比較・置換する（Ａ０５）。この時に現在確認している処理データと、次に並ぶ処理データにおいて、処理順序が逆になっている場合には入れ替えを行い、データを一時的に蓄積する（Ａ０６）
【００１２】
図２のＡ０３およびＡ０５の処理において、同一順の処理データがある場合には、データベースに登録されたレコード降順にてデータを蓄積する。
【００１３】
図２のＡ０４およびＡ０６で蓄積されたデータを元に、画面出力できるように作画を行う。時系順列をＹ軸、処理順列をＸ軸とし処理データを配置していく。また、同日付かつ同一容器に対しての処理があるものに対して結びつけを行い、図表化する時に線画にて連携を記す（Ａ０７）。作画したデータを画面に表示もしくは印刷を行う（Ａ０８）
【産業上の利用可能性】
【００１４】
既存のデータ体系を変更することなく、表示もしくは印刷時のみデータ作成を行えることから、既存業務システムにおける付加機能としての導入により、改めてシステムを再構築することなく、視覚的な確認が容易に行えるようになる。
【図面の簡単な説明】
【００１５】
【図１】本発明における酒類生産履歴の表示システムを含む全体の情報フロー（実施例１）
【図２】本発明における酒類生産履歴の表示システムの具体的な処理フロー（実施例１）
【符号の説明】
【００１６】
Ａ０１  データベースよりデータの読取処理
Ａ０２  本発明の具体的な処理
Ａ０３  時系列におけるデータの比較・置換処理
Ａ０４  データの一時蓄積処理
Ａ０５  処理順列におけるデータの比較・置換処理
Ａ０６  データの一時蓄積処理
Ａ０７  データの結びつき・図表化のための処理
Ａ０８  画面もしくは印刷機器への出力処理
【図１】
2005346437.tif 000003
【図２】
2005346437.tif 000004
(57)【要約】【課題】軸筒２に合成樹脂製の入力チップ４を取り付けた入力ペンにおいて、軸筒２を合成樹脂製で尚且つ扁平状に形成した場合でも、入力チップ４が曲がったり外れる恐れがなく、また、軸筒２も撓む恐れがない入力ペンを提供する。【解決手段】合成樹脂製の軸筒２を扁平状に形成し、この軸筒２内にインサート成形により金属部材１を内蔵する。更に、金属製のジョイント３に合成樹脂製の入力チップ４をインサート成形し、このジョイント３を軸筒２の前部に固着する。【選択図】        図１
2005346312.tif 000002
【特許請求の範囲】
【請求項１】
感圧式手書き入力装置に用いる入力ペンにおいて、金属製のジョイントに合成樹脂製の入力チップをインサート成形し、前記ジョイントを合成樹脂製の軸筒の前部に固着して構成したことを特徴とする入力ペン。
【請求項２】
感圧式手書き入力装置に用いる入力ペンにおいて、合成樹脂製の軸筒を扁平状に形成し、該軸筒内にインサート成形により金属部材を内蔵したことを特徴とする入力ペン。
【請求項３】
感圧式手書き入力装置に用いる入力ペンにおいて、合成樹脂製の軸筒を扁平状に形成し、該軸筒内にインサート成形により金属部材を内蔵するとともに、金属製のジョイントに合成樹脂製の入力チップをインサート成形し、このジョイントを前記軸筒の前部に固着して構成したことを特徴とする入力ペン。
【請求項４】
金属部材を板状に構成したことを特徴とする請求項２または３記載の入力ペン。
【発明の詳細な説明】
【技術分野】
【０００１】
本発明は、感圧方式の手書き入力装置に用いる入力ペンに関する。
【背景技術】
【０００２】
従来、軸筒の前端に穴部を形成し、該穴部に前入力部材の後部を圧入固着する。この前入力部材が、ポリアセタール、ポリエチレン、ナイロン、エラストマー樹脂等の合成樹脂製で構成された入力ペンが知られている。（特許文献１参照）
【特許文献１】特開平１０−９１３１５号公報（段落０００５）
【発明の開示】
【発明が解決しようとする課題】
【０００３】
合成樹脂製の軸筒の穴部に合成樹脂製の前入力部材の後部を圧入固着して取り付けたものは、強い力で前入力部材を押圧すると、前入力部材が曲がったり外れてしまう恐れがあった。また、近年感圧式の入力ペンは、小型の携帯情報端末やビデオカメラ等に利用されるようになり、収納スペースを小さくするために、扁平状に構成される傾向が強くなった。このように、軸筒を扁平状に形成する場合には、加工上軸筒を合成樹脂で構成する傾向が強く、軸筒が撓んで入力しにくかったり、入力チップが外れてしまう恐れがより大きくなってしまった。
【課題を解決するための手段】
【０００４】
本発明は、感圧式手書き入力装置に用いる入力ペンにおいて、金属製のジョイントに合成樹脂製の入力チップをインサート成形し、前記ジョイントを合成樹脂製の軸筒の前部に固着して構成したことを第１の要旨とする。
【０００５】
また、感圧式手書き入力装置に用いる入力ペンにおいて、合成樹脂製の軸筒を扁平状に形成し、該軸筒内にインサート成形により金属部材を内蔵したことを第２の要旨とする。
【０００６】
更に、感圧式手書き入力装置に用いる入力ペンにおいて、合成樹脂製の軸筒を扁平状に形成し、該軸筒内にインサート成形により金属部材を内蔵するとともに、金属製のジョイントに合成樹脂製の入力チップをインサート成形し、このジョイントを前記軸筒の前部に固着して構成したことを第３の要旨とする。
【０００７】
更にまた、金属部材を板状に構成したことを第４の要旨とする。
【発明の効果】
【０００８】
本発明の入力ペンは、金属製のジョイントに入力チップをインサート成形し、このジョイントを合成樹脂製の軸筒の前部に固着するので、強い力で入力チップを押圧しても、入力チップが曲がったり外れる恐れがない利点がある。
【発明を実施するための最良の形態】
【０００９】
合成樹脂製の軸筒を扁平状に形成し、この軸筒内にインサート成形により板状の金属部材を内蔵するとともに、金属製のジョイントに入力チップをインサート成形し、このジョイントを合成樹脂製の軸筒の前部に固着することにより、強い力で入力チップを押圧しても、入力チップが曲がったり外れる恐れがないとともに、軸筒が撓む心配もない入力ペンを実現した。
【実施例１】
【００１０】
図１、図２、図３および図４により本発明の実施例１の入力ペンを説明する。尚、図２の左側を前方とし、右側を後方とする。先ず、プレス成形により鉄製あるいはステンレス製の金属部材１を形成する。この金属部材１は前後に伸びた板状に形成され、前後の端の近辺にインサート時に固定するための穴１Ａが形成される。この金属部材１の外側にインサート成形により軸筒２を構成する。この軸筒２は合成樹脂製で前後に伸びた扁平状に構成され、後部に上方に隆起した突部２Ａが形成される。また、軸筒２の前端には孔部２Ｂが形成される。更に、軸筒２の把持部２Ｃおよび突部２Ａの表面には滑り止め用のＶ溝２Ｄが複数形成される。黄銅等からなる金属製のジョイント３は丸棒状で、前部に複数の凹溝３Ａが構成されるとともに、後部には長手方向後方に行くにしたがって細径となるテーパー状の鍔部３Ｂが形成される。このジョイント３の前部にポリアセタール、ポリエチレン、ナイロン、エラストマー、合成ゴム等の合成樹脂製の入力チップ４がインサート成形で形成される。このジョイント３の後部を前記軸筒２の前端に形成された孔部２Ｂに圧入固着し、軸筒２の前部に入力チップ４を取り付ける。
【００１１】
上記入力ペンは、携帯情報端末あるいはビデオカメラ等の収納室に収納されるが、軸筒２が扁平状に形成されているので小さなスペースで収納室を形成できる。また、軸筒２の突部２Ａを指で掛けて外すことにより入力ペンが取り出せる。そして、感圧式の液晶パネル等に押し付けて入力を行う。
【００１２】
尚、軸筒は扁平状に限定されるものではなく、細い丸棒状に形成した場合でも本発明の目的・効果は十分期待できるものである。
【産業上の利用可能性】
【００１３】
合成樹脂製の軸筒に合成樹脂製の入力チップを取り付けた場合でも、入力チップが曲がったり外れる恐れがない入力ペンに適用できる。
【図面の簡単な説明】
【００１４】
【図１】本発明の入力ペンを示す主要部拡大断面図である。（実施例１）
【図２】本発明の入力ペンを示す縦断面図である。（実施例１）
【図３】本発明の入力ペンを示す横断面図である。（実施例１）
【図４】本発明の入力ペンを示す平面図である。（実施例１）
【符号の説明】
【００１５】
１  金属部材
２  軸筒
３  ジョイント
４  入力チップ
【図１】
2005346312.tif 000003
【図２】
2005346312.tif 000004
【図３】
2005346312.tif 000005
【図４】
2005346312.tif 000006